(57)【特許請求の範囲】
【請求項１】
ケースに取付られた固定部品と前記固定部品と連結部品により連結される可動部品とからなる取付具を有する電子部品の収納ケースであって、
前記固定部品は、背面と前記ケースの間に空間を形成するように前記ケースに取り付けられ、前記連結部品を通す前面から上面に繋がる連結穴と、前面にケースを取り付ける柱を挟持する凹部を有し、
前記可動部品は、前記連結部品を通す前面から上面に繋がる連結穴と、下面に前記連結部品を通す連結溝と、前面にフック穴を有し、前記固定部品の凹部と対向する位置にケースを取り付ける柱を挟持する凹部を有する構成であり、
前記可動部品と前記固定部品を前記固定部品の上面の連結穴と前記可動部品の連結溝および上面の連結穴を貫通する前記連結部品により固定することにより前記可動部品の前面に設けられたフック穴によるケースの掛け止めが可能となり、
前記可動部品と前記固定部品を前記固定部品の前面の連結穴と前記可動部品の前面の連結穴を貫通する前記連結部品により固定することにより前記固定部品と前記可動部品が有する凹部が対向する構成であることを特徴とするケース。
【請求項２】
請求項１記載のケースであって、
前記固定部品の連結穴の上面部は略Ｔ字形であることを特徴とするケース。
【請求項３】
請求項１または請求項２記載のケースであって、
前記固定部品とケースの間には取付補助具のための空間を有することを特徴とするケース。
【請求項４】
請求項１ないし請求項３に記載のケースであって、
前記固定部品と前記可動部品は嵌合手段を有することを特徴とするケース。
【請求項５】
ケースに取付ける固定部品と前記固定部品と連結部品により連結される可動部品とからなる取付具を有するケースの取付具であって、
前記固定部品は、背面と前記ケースの間に空間を形成するように前記ケースに取り付けられ、前記連結部品を通す前面から上面に繋がる連結穴と、前面にケースを取り付ける柱を挟持する凹部を有し、
前記可動部品は、前記連結部品を通す前面から上面に繋がる連結穴と、下面に前記連結部品を通す連結溝と、前面にフック穴を有し、前記固定部品の凹部と対向する位置にケースを取り付ける柱を挟持する凹部を有する構成であり、
前記可動部品と前記固定部品を前記固定部品の上面の連結穴と前記可動部品の連結溝および上面の連結穴を貫通する連結部品により固定することにより前記可動部品の前面に設けられたフック穴によるケースの掛け止めが可能となり、
前記可動部品と前記固定部品を前記固定部品の前面の連結穴と前記可動部品の前面の連結穴を貫通する連結部品により固定することにより前記固定部品と前記可動部品が有する凹部が対向する構成であることを特徴とする取付具。
【請求項６】
請求項５記載の取付具であって、
前記固定部品の連結穴の上面部は略Ｔ字形であることを特徴とする取付具。
【請求項７】
請求項５または請求項６記載の取付具であって、
前記固定部品とケースの間には取付補助具のための空間を有することを特徴とする取付具。
【請求項８】
請求項５ないし請求項７に記載の取付具であって、
前記固定部品と前記可動部品は嵌合手段を有することを特徴とする取付具。
【発明の詳細な説明】
【技術分野】
【０００１】
本発明は信号ケーブルの集配装置等の電子機器を収容するケースに関するものであり、特にケースを建築物の側壁あるいは電柱等に取り付けるための取付具を有するケースの構造に関するものである。
【背景技術】
【０００２】
信号ケーブルの集配装置等の電子機器を収納するケースの多くは屋外に設置される。しかし、信号ケーブルの集配装置を収納するという同一目的のケースであっても、建築物の側壁に設置する、電柱に設置する等、ケースの設置場所は装置の利用環境に応じて大きく異なる。従って、同一目的のケースであっても、色々な利用環境に対応するため、異なる形状のケースを用意する必要がある。また、ケースを設置する時は、予め設置場所を調査し必要とするケースの形状を決定し、その形状のケースを準備して作業に出向く必要がある。
【０００３】
従来のケースあるいはケースの取付具は、複数の形状のものを用意する必要があり在庫管理等が煩雑となる。また、作業時には、作業環境調査し作業環境に則した形状のケースを予め用意する必要があり、作業現場でケースの設置場所を柔軟に変更するためには、使用する可能性のある複数の形状のケースを持参する。従って、作業終了後使用しなかったケースを持ち帰り返品する等の手続が必要となる。電子機器の収容ケースを電柱に取り付ける公報には以下のものがある。
【特許文献１】特開特開２００１−５２５７号公報
【発明の開示】
【発明が解決しようとする課題】
【０００４】
本発明は、電子機器等を収容するケースを建造物に取り付ける取付具に関するものであり、1つの構成により、ケースを建物の平らな側壁に取り付けることが可能であると共に、街路灯等の比較的細い柱にも、電柱等の太い柱にも取り付け可能な取付具を有するケースを提供するのである。
【課題を解決するための手段】
【０００５】
本発明は、ケースを建造物に取り付ける取付具を、ケースに固着させた固定部品である固定金具と、ケースから分離された可動部品である可動金具と、固定金具と可動金具を連結する部品である連結金具とから構成する。可動金具を固定金具に直接取り付けることにより、ケースを建造物の平らな壁面に設置することを可能とする。また、可動金具と固定金具により柱を挟むことのより、街路灯等の比較的細い柱にケースを取り付けることが可能となる。また、スチールベルト等の補助具を用いることにより電柱等の太い柱にも取り付け可能となる。
【発明の効果】
【０００６】
本発明は、電子機器等を収容するケースを建造物に取り付ける取付具であって、ケースを建物の平らな側壁に取り付けることが可能であると共に、1つの構成により、街路灯等の比較的細い柱にも電柱等の太い柱にも取り付け可能となる。
【発明を実施するための最良の形態】
【０００７】
図１−１は本発明に係るケース１００と、ケースの固定具を構成する固定金具２００、可動金具３００、連結金具４００の斜視図である。図示されていないが、連結金具４００にはネジ山が切られている。
ケースの多くは屋外に設置されるため、図１−１のケース１００の上面、前面、及び左右の両側面にはケース本体と空間を空けてカバー(１０５ないし１０７)が取付けられている。これらのカバーは直射日光よりケース本体の温度が高くなることを防止するものである。ケース１００の裏面１１０に、固定金具２００が溶接等により固着されている。
図１−２は可動金具３００を固定金具２００の上に搭載した状態を示す図である。可動金具３００には嵌合用のツメ３５０が設けられており、固定金具２００のツメ嵌合部２５０と嵌合した状態となる。ケース１００の裏面下方には、ケース支え１１５が取り付けられている。ケース支え１１５と固定金具２００の上に搭載された可動金具３００の前面はほぼ同一面となる。
【０００８】
図２−１の(ａ)は固定金具２００の上面図、(ｂ)は前面図、(ｃ)は側面図、(ｄ)は底面図であり、図２−２は固定金具２００の斜視図である。固定金具２００は背面上下の固定板２１０と２１５によりケース本体の裏面に固着、あるいはネジ留めされる。固定金具２００の上面の左右後部には、可動金具３００のツメ３５０(図３−２参照)が嵌合するツメ嵌合部２５０が設けられている。固定金具２００の上面部材と下面部材には街路灯等の柱に当接する凹部２４０が設けられている。固定金具２００の上面部材から前面部材に連結穴２２０が二つ開けられている。図２−２に示されるように、連結穴２２０は、固定金具２００の上面部材に開けられた横長の連結穴上部２２０−１と、前面部材に開けられた縦長の連結穴下部２２０−２からなり、略Ｔ字の形状である。
【０００９】
図３−１の(ａ)は可動金具３００の上面図、(ｂ)は前面図、(ｃ)は側面図、(ｄ)は底面図であり、図３−２の(ａ)は可動金具３００の後面斜視図、(ｂ)は前面斜視図である。可動金具３００の上面部材と下面部材には街路灯等の柱に当接する凹部３４０が設けられている。可動金具３００の下面部材の左右後部には、固定金具２００のツメ嵌合部２５０(図２−２参照)に嵌合するツメ３５０が設けられている。可動金具３００の上面部材から前面部材に連結穴３２０が二つ開けられている。連結穴３２０は、可動金具３００の上面部材に開けられた連結穴上部３２０−１と、全面部材に開けられた連結穴下部３２０−２からなり、略Ｉ字の形状である。
可動金具３００の下面部材には連結溝３５０が二つ設けられており、前面部材にはフック穴３２０が開けられている。
【００１０】
図４−１は固定金具２００をケースの裏面に固着した状態を示す図であり、図４−２はその斜視図である。固定金具２００の上部固定板２１０と下部固定板２１５はケース本隊の裏面に溶接等の方法により固着されている。固定金具２００に開けられた連結穴２２０の連結穴上部２２０−１が上方を向き、連結穴下部２２０−２が後方を向く状態となる。
固定金具２００の前面とケース本体の裏面の間には空間があり、ケースを建造物に取り付ける時、スチールベルト等の補助具を通すことが可能となっている。
【００１１】
図５−１、図５−３、図５−５、および図５−７は、ケース１００の裏面１１０に固着されている固定金具２００に連結金具４００を挿入する過程を示す図である。図５−２、図５−４、図５−６および図５−８は各々、図５−１、図５−３、図５−５および図５−７の斜視図である。図５−３および図５−４に示されるように、連結金具４００の一方の脚が連結穴上部２２０−１の一方から挿入され、固定金具２００とケース裏面の間を通り、図５−５および図５−６に示されるように、他方の連結穴上部２２０−１から出され、図５−７および図５−８に示され位置とされる。固定金具２００の上面部材に開けられた連結穴上部２２０−１は、連結金具４００を挿入することか可能な形状と長さにされている。
【００１２】
図６−１および図６−２は、固定金具２００と可動金具３００を一体にして使用する方法を示す図である。図６−１は固定金具２００に通された連結金具４００と可動金具３００の斜視図であり、図６−２はケース１００の裏面１１０で、可動金具３００が固定金具２００にナットにより固定された図である。
図５−８に示され状態にある連結金具４００の脚が、可動金具３００の下面部材に設けられた連結溝３５０から連結溝３２０の連結穴上部３２０−１(図３−２参照)を貫通している。
図６−２に示されるように、可動金具３００の下面部材の左右両端に設けられているツメ３５０が、固定金具２００の上面部材の左右両端に設けられているツメ嵌合部２５０に嵌合する様に、可動金具３００を固定金具２００に搭載し、連結金具４００のネジ山とナット４１０により両金具を固定する。図６−３は側面の詳細図である。ケース１００の理面に固着された固定金具２００のツメ嵌合部２５０がケースの裏面との間に形成する空間に、可動金具３００のツメ３５０が嵌合している。固定金具２００の前面とケース１００の裏面の間には、スチールベルト等、建造物にケースを取り付けるための補助部材を通す固定金具空間６００が形成されている。
【００１３】
図７−１は、建造物の壁等、垂直な平面にケース１００を取付る方法を示す図である。壁にはケース１００を掛けるためのフック５００が埋め込まれている。図６−２に示される状態の可動金具３００の前面にフック穴３２０が位置している。フック穴３２０にフック５００を挿入することにより、ケース１００は壁に掛けられる。可動金具３００を固定金具２００に搭載し固定すると、可動金具３００の前面が固定金具２００より前方に位置するように、可動金具３００の厚みを固定金具２００の厚みより大きく構成されている。従ってケース１００をフックに掛けると、可動金具３００の前面とケース支え１１５が壁に当節し安定する。
図７−２は、電柱等、比較的太い柱にケース１００を取り付ける方法を示す図である。固定金具２００とケースの裏面の間の固定金具空間６００に取付補助具であるスチールベルト６１０を通し、スチールベルト６１０によりケース１００を電柱に締め付けて取り付ける。
【００１４】
図８−１及び図８−２は、街路灯等の比較的細い柱にケース１００を取り付ける方法を示す図である。この方法は固定金具２００と可動金具３００により柱を挟んで固定する方法であり、図８−１はその概要を示す斜視図である。固定金具２００に通された連結金具４００(図５−８参照)の両脚を固定金具２００の連結穴下部２２０−２に移動さ、両脚により取り付ける柱を挟む。次に可動金具３００の連結穴下部３２０−２を連結金具４００の両脚が貫通する様に装着し、ナットにより固定する。図８−２は比較的細い柱にレース１００を取り付けた図であり、(ａ)は上面図、(ｂ)は背面図、(ｃ)は側面図である。柱は固定金具と可動金具の凹部に当接し、ナットにより締め付けられている。
【産業上の利用可能性】
【００１５】
本発明は信号ケーブルの集配装置等の電子機器を収納するケースを建造物に取り付けるための取付具に関するものであり、取付具をケースに固着する固定金具と、ケースから分離された可動金具と、固定金具と可動金具を連結する連結金具とにより構成する。
１．固定金具と可動金具を一体に固定することにより、建造物の壁等の平面にケースの取り付けが可能となる。
２．固定金具と可動金具により取付る建造物を挟むことにより、街路灯等の比較的細い柱にケースを取り付けることが可能となる。
３．スチールベルト等の補助具を用いることにより、電柱等の比較的太い柱にケースを取り付けることが可能となる。
【００１６】
本発明に係る取付具を用いることにより、共通の構造のケースでもって各種の取付環境に対応可能となる。この結果、多くの品種のケースを用意する必要がなくなり在庫管理が容易となる。また、作業の柔軟性を確保するため、従来は多くの種類のケースを作業現場に持参する必要があったが、本発明に係るケースは、１つのケースにより多くの作業環境に対応可能であり、多くの種類のケースを作業現場に持参する必要が無い。
なお、本実施例では取付具を金属製とし、取付具を固定金具、可動金具、連結金具としたが、取付具の材質は金属に限られるものではない。
【図面の簡単な説明】
【００１７】
【図１−１】本発明に係るケースと取付具の斜視図
【図１−２】本発明に係るケースと固定金具と可動金具の斜視図
【図２−１】固定金具の詳細図
【図２−２】固定金具の斜視図
【図３−１】可動金具の詳細図
【図３−２】可動金具の斜視図
【図４−１】ケースと固定金具の詳細図
【図４−２】ケースと固定金具の斜視図
【図５−１】固定金具と連結金具の詳細図
【図５−２】図５−１の斜視図
【図５−３】固定金具と連結金具の詳細図
【図５−４】図５−３の斜視図
【図５−５】固定金具と連結金具の詳細図
【図５−６】図５−５の斜視図
【図５−７】固定金具と連結金具の詳細図
【図５−８】図５−７の斜視図
【図６−１】固定金具と可動金具と連結金具の第１の位置の斜視図
【図６−２】第１の位置の詳細図
【図６−３】図６−２の詳細図
【図７−１】本発明に係る取付具の第１の使用形態を示す図
【図７−２】本発明に係る取付具の第２の使用形態を示す図
【図８−１】固定金具と可動金具と連結金具の第２の位置の斜視図
【図８−２】本発明に係る取付具の第３の使用形態を示す図
【図１−１】
0004689536.tif 000002
【図１−２】
0004689536.tif 000003
【図２−１】
0004689536.tif 000004
【図２−２】
0004689536.tif 000005
【図３−１】
0004689536.tif 000006
【図３−２】
0004689536.tif 000007
【図４−１】
0004689536.tif 000008
【図４−２】
0004689536.tif 000009
【図５−１】
0004689536.tif 000010
【図５−２】
0004689536.tif 000011
【図５−３】
0004689536.tif 000012
【図５−４】
0004689536.tif 000013
【図５−５】
0004689536.tif 000014
【図５−６】
0004689536.tif 000015
【図５−７】
0004689536.tif 000016
【図５−８】
0004689536.tif 000017
【図６−１】
0004689536.tif 000018
【図６−２】
0004689536.tif 000019
【図６−３】
0004689536.tif 000020
【図７−１】
0004689536.tif 000021
【図７−２】
0004689536.tif 000022
【図８−１】
0004689536.tif 000023
【図８−２】
0004689536.tif 000024